(57)【要約】【課題】送信電力の下げ過ぎまたは上げ過ぎを抑制すること。【解決手段】端末１１０は、端末１１０から基地局１２０への送信タイミングの制御量を示すＴＡ情報と、端末１１０から基地局１２０への送信電力の制御量を示すＴＰＣ値と、を基地局１２０から受信する。また、端末１１０は、受信したＴＡ情報が示す制御量の加算結果を記憶する。また、端末１１０は、受信したＴＰＣ値が示す制御量に基づいて基地局１２０への送信電力を制御する。また、端末１１０は、送信電力を下げる制御を記憶した加算結果に基づいて開始し、端末１１０における基地局１２０からの受信電力に基づいて該制御を停止する。【選択図】図１
2017005566.tif 000002
【特許請求の範囲】
【請求項１】
自装置から他装置への無線信号の送信タイミングの制御量を示す第一の制御信号と、自装置から前記他装置への無線信号の送信電力の制御量を示す第二の制御信号と、を前記他装置から受信する受信部と、
前記受信部によって受信された前記第一の制御信号が示す制御量の加算結果を記憶する記憶部と、
前記受信部によって受信された前記第二の制御信号が示す制御量に基づいて前記送信電力を制御する制御部であって、前記送信電力を下げる制御を前記記憶部によって記憶された前記加算結果に基づいて開始し、自装置における前記他装置からの受信電力に基づいて前記送信電力を下げる制御を停止する制御部と、
を備えることを特徴とする送信装置。
【請求項２】
前記制御部は、前記送信電力を下げる制御を開始してからの前記受信電力の低下量が所定量より大きくなった場合に前記送信電力を下げる制御を停止することを特徴とする請求項１に記載の送信装置。
【請求項３】
自装置から他装置への無線信号の送信タイミングの制御量を示す第一の制御信号と、自装置から前記他装置への無線信号の送信電力の制御量を示す第二の制御信号と、を前記他装置から受信する受信部と、
前記受信部によって受信された前記第一の制御信号が示す制御量の加算結果を記憶する記憶部と、
前記受信部によって受信された前記第二の制御信号が示す制御量に基づいて前記送信電力を制御する制御部であって、前記送信電力を上げる制御を前記記憶部によって記憶された前記加算結果に基づいて開始し、自装置における前記他装置からの受信電力に基づいて前記送信電力を上げる制御を停止する制御部と、
を備えることを特徴とする送信装置。
【発明の詳細な説明】
【技術分野】
【０００１】
本発明は、送信装置に関する。
【背景技術】
【０００２】
従来、移動局が、基地局へデータを送信するタイミングの変化量を監視し、基地局へデータを送信するタイミングの変化量が所定値に達した場合に、基地局へのデータ送信に用いる送信電力の値を所定回数低減させる制御を行う技術が知られている（たとえば、下記特許文献１参照。）。また、移動通信端末が、受信電力値の判定結果に基づいて送信電力を増減する技術が知られている（たとえば、下記特許文献２参照。）。
【先行技術文献】
【特許文献】
【０００３】
【特許文献１】特開２０１３−０３０８４０号公報
【特許文献２】特開２００４−８８３３３号公報
【発明の概要】
【発明が解決しようとする課題】
【０００４】
しかしながら、上述した従来技術では、たとえば基地局へデータを送信するタイミングの変化量に基づいて所定回数、送信電力の値を低減させる制御を行うと、端末の移動状態や伝播環境によっては送信電力の下げ過ぎになるという問題がある。
【０００５】
または、基地局へデータを送信するタイミングの変化量に基づいて送信電力の値を所定回数増加させる制御を行うことも考えられるが、このような制御を行うと、端末の移動状態や伝播環境によっては送信電力の上げ過ぎになるという問題がある。
【０００６】
１つの側面では、本発明は、送信電力の下げ過ぎまたは上げ過ぎを抑制することができる送信装置を提供することを目的とする。
【課題を解決するための手段】
【０００７】
上述した課題を解決し、目的を達成するため、本発明の一側面によれば、自装置から他装置への無線信号の送信タイミングの制御量を示す第一の制御信号と、自装置から前記他装置への無線信号の送信電力の制御量を示す第二の制御信号と、を前記他装置から受信し、受信した前記第一の制御信号が示す制御量の加算結果を記憶し、受信した前記第二の制御信号が示す制御量に基づいて前記送信電力を制御し、前記送信電力を下げる制御を記憶した前記加算結果に基づいて開始し、自装置における前記他装置からの受信電力に基づいて前記送信電力を下げる制御を停止する送信装置が提案される。
【０００８】
本発明の別の一側面によれば、自装置から他装置への無線信号の送信タイミングの制御量を示す第一の制御信号と、自装置から前記他装置への無線信号の送信電力の制御量を示す第二の制御信号と、を前記他装置から受信し、受信した前記第一の制御信号が示す制御量の加算結果を記憶し、受信した前記第二の制御信号が示す制御量に基づいて前記送信電力を制御し、前記送信電力を上げる制御を記憶した前記加算結果に基づいて開始し、自装置における前記他装置からの受信電力に基づいて前記送信電力を上げる制御を停止する送信装置が提案される。
【発明の効果】
【０００９】
本発明の一側面によれば、送信電力の下げ過ぎまたは上げ過ぎを抑制することができるという効果を奏する。
【図面の簡単な説明】
【００１０】
【図１】図１は、実施の形態にかかる通信システムの一例を示す図である。
【図２】図２は、実施の形態にかかる通信システムにおける電力制御の流れの一例を示す図である。
【図３】図３は、実施の形態にかかる端末の一例を示す図である。
【図４】図４は、実施の形態にかかる端末の送信電力設定部の一例を示す図である。
【図５】図５は、実施の形態にかかる端末のハードウェア構成の一例を示す図である。
【図６】図６は、実施の形態にかかる基地局のハードウェア構成の一例を示す図である。
【図７】図７は、実施の形態にかかる端末による送信電力設定処理の一例を示すフローチャートである。
【図８】図８は、実施の形態にかかる端末装置による送信電力制御の一例を示す図である。
【図９】図９は、実施の形態にかかる端末による送信電力設定処理の他の例を示すフローチャートである。
【発明を実施するための形態】
【００１１】
以下に図面を参照して、本発明にかかる送信装置の実施の形態を詳細に説明する。
【００１２】
（実施の形態）
（実施の形態にかかる通信システム）
図１は、実施の形態にかかる通信システムの一例を示す図である。図１に示すように、実施の形態にかかる通信システム１００は、端末１１０と、基地局１２０と、を含む。基地局１２０は、セル１２１を形成し、セル１２１に在圏する端末１１０との間で無線通信を行う。端末１１０は、基地局１２０へ無線信号を送信する送信装置である。また、端末１１０は、基地局１２０からの無線信号を受信する。
【００１３】
基地局１２０は、端末１１０から基地局１２０への送信タイミングの制御量を示す第一の制御信号を端末１１０へ送信する。たとえば、基地局１２０は、端末１１０からの無線信号の基地局１２０における受信タイミングに基づく第一の制御信号を端末１１０へ送信する。第一の制御信号は、一例としてはＴＡ（Ｔｉｍｉｎｇ  Ａｄｖａｎｃｅ：タイミングアドバンス）情報である。
【００１４】
また、基地局１２０は、端末１１０から基地局１２０への送信電力の制御量を示す第二の制御信号を端末１１０へ送信する。たとえば、基地局１２０は、端末１１０からの無線信号の基地局１２０における受信電力に基づく第二の制御信号を端末１１０へ送信する。第二の制御信号は、一例としてはＴＰＣ（Ｔｒａｎｓｍｉｔ  Ｐｏｗｅｒ  Ｃｏｎｔｒｏｌ：送信電力制御）値である。
【００１５】
（実施の形態にかかる通信システムにおける電力制御の流れ）
図２は、実施の形態にかかる通信システムにおける電力制御の流れの一例を示す図である。図２に示すように、基地局１２０は、受信レベル検出部２２１と、ＴＰＣ挿入部２２２と、を備える。受信レベル検出部２２１は、端末１１０からの無線信号の基地局１２０における受信レベルを検出する。そして、受信レベル検出部２２１は、検出した受信レベルをＴＰＣ挿入部２２２へ通知する。
【００１６】
ＴＰＣ挿入部２２２は、受信レベル検出部２２１から通知された受信レベルが所定範囲より高い場合は、基地局１２０が端末１１０へ送信する無線信号における下り制御チャネルに、送信レベルを下げることを指示するＴＰＣ値（ダウン命令）を挿入する。また、ＴＰＣ挿入部２２２は、受信レベル検出部２２１から通知された受信レベルが所定範囲より低い場合は、基地局１２０が端末１１０へ送信する無線信号における下り制御チャネルに、送信レベルを上げることを指示するＴＰＣ値（アップ命令）を挿入する。ＴＰＣ値の挿入は、たとえばフレーム（たとえば１［ｍｓ］）ごとに行われる。
【００１７】
端末１１０は、ＴＰＣ抽出部２１１と、送信電力制御部２１２と、を備える。ＴＰＣ抽出部２１１は、基地局１２０から送信された無線信号における下り制御チャネルからＴＰＣ値を抽出する。そして、ＴＰＣ抽出部２１１は、抽出したＴＰＣ値を送信電力制御部２１２へ通知する。
【００１８】
送信電力制御部２１２は、ＴＰＣ抽出部２１１から通知されたＴＰＣ値に基づいて、端末１１０から基地局１２０への無線信号の送信電力を制御する。たとえば、送信電力制御部２１２は、ＴＰＣ値が送信レベルを下げることを指示するダウン命令である場合は、端末１１０から基地局１２０への無線信号の送信電力を下げる。また、送信電力制御部２１２は、ＴＰＣ値が送信レベルを上げることを指示するアップ命令である場合は、端末１１０から基地局１２０への無線信号の送信電力を上げる。送信電力制御部２１２による送信電力の制御は、たとえばフレームごとに行われる。
【００１９】
これにより、基地局１２０における受信電力が所定範囲となるように、端末１１０から基地局１２０への送信電力を制御することができる。
【００２０】
（実施の形態にかかる端末）
図３は、実施の形態にかかる端末の一例を示す図である。図３に示すように、実施の形態にかかる端末１１０は、たとえば、アンテナ３０１と、無線部３０２と、パスサーチ／セルサーチ部３０３と、受信電力測定部３０４と、復調部３０５と、符号処理部３０６（ＣＯＤＥＣ）と、を備える。また、端末１１０は、変調部３０７と、送信電力設定部３０８と、送信電力制御部３０９と、を備える。
【００２１】
図２に示した端末１１０のＴＰＣ抽出部２１１は、たとえばアンテナ３０１、無線部３０２、パスサーチ／セルサーチ部３０３および復調部３０５により実現することができる。図２に示した端末１１０の送信電力制御部２１２は、たとえば送信電力設定部３０８および送信電力制御部３０９により実現することができる。
【００２２】
アンテナ３０１は、基地局１２０との間で信号を無線により送受信するためのアンテナである。無線部３０２は、アンテナ３０１を介して基地局１２０からの信号を無線受信し、受信した信号に対して受信信号処理を行う。無線部３０２による受信信号処理には、たとえば、増幅、ＲＦ（Ｒａｄｉｏ  Ｆｒｅｑｕｅｎｃｙ：高周波）帯からベースバンド帯への周波数変換、ＡＤＣ（Ａｎａｌｏｇ／Ｄｉｇｉｔａｌ  Ｃｏｎｖｅｒｔｅｒ：アナログ／デジタル変換器）などが含まれる。無線部３０２は、受信信号処理を行った信号をパスサーチ／セルサーチ部３０３へ出力する。
【００２３】
また、無線部３０２は、送信電力制御部３０９から出力された信号に対して送信信号処理を行う。無線部３０２による送信信号処理には、たとえば、ＤＡＣ（Ｄｉｇｉｔａｌ／Ａｎａｌｏｇ  Ｃｏｎｖｅｒｔｅｒ：デジタル／アナログ変換器）、ベースバンド帯からＲＦ帯への周波数変換、増幅などが含まれる。無線部３０２は、送信信号処理を行った信号を、アンテナ３０１を介して基地局１２０へ無線送信する。
【００２４】
パスサーチ／セルサーチ部３０３は、無線部３０２から出力された信号に基づくパスサーチ（ダウンリンク追従制御）およびセルサーチを行う。パスサーチは、たとえば、無線部３０２から出力された信号に掛け合わせる拡散符号のタイミングを徐々に変化させて各タイミングでの相関値を測定し、相関値が大きいパスのタイミングを判定する処理である。セルサーチは、たとえば、端末１１０と基地局１２０との間の伝播ロスが最小となるセル（セクタ）を選択する処理である。パスサーチ／セルサーチ部３０３は、パスサーチおよびセルサーチを行った信号を受信電力測定部３０４および復調部３０５へ出力する。
【００２５】
また、パスサーチ／セルサーチ部３０３は、パスサーチによって測定した基地局１２０から端末１１０への下りのパス変動を示すパス変動情報を送信電力設定部３０８へ出力してもよい。下りのパス変動は、端末１１０が基地局１２０から受信する信号のパスタイミング（たとえば受信タイミング）の変動である。下りのパス変動は、端末１１０が基地局１２０へ近づく方向へ移動している場合はマイナスの値となり、端末１１０が基地局１２０から離れる方向へ移動している場合はプラスの値となる。
【００２６】
受信電力測定部３０４は、パスサーチ／セルサーチ部３０３から出力された信号に基づいて、基地局１２０からの無線信号の端末１１０における受信電力を測定する。受信電力測定部３０４によって測定される受信電力は、たとえば端末１１０と基地局１２０との間のリンク制御を行うサービングセルからの端末１１０における受信電力とすることができる。受信電力は、一例としてはＲＳＲＰ（Ｒｅｆｅｒｅｎｃｅ  Ｓｉｇｎａｌ  Ｒｅｃｅｉｖｅｄ  Ｐｏｗｅｒ：基準信号受信電力）とすることができる。受信電力測定部３０４は、測定した受信電力を示す受信電力値を送信電力設定部３０８へ出力する。
【００２７】
復調部３０５は、パスサーチ／セルサーチ部３０３から出力された信号の復調を行う。そして、復調部３０５は、復調した信号を符号処理部３０６へ出力する。また、復調部３０５は、復調した信号に含まれるＴＰＣ値を送信電力設定部３０８へ出力する。また、復調部３０５は、復調した信号に含まれるＴＡ情報を変調部３０７および送信電力設定部３０８へ出力する。
【００２８】
符号処理部３０６は、復調部３０５から出力された信号の復号を行う。これにより、基地局１２０から端末１１０へ送信されたデータが得られる。また、符号処理部３０６は、端末１１０から基地局１２０へ送信すべきデータの符号化を行う。そして、符号処理部３０６は、符号化により得られた信号を変調部３０７へ出力する。
【００２９】
変調部３０７は、符号処理部３０６から出力された信号に基づく変調を行う。そして、変調部３０７は、変調により得られた信号を送信電力制御部３０９へ出力する。また、変調部３０７は、復調部３０５から出力されたＴＡ情報に基づいて、送信電力制御部３０９へ信号を出力するタイミングを調節することにより、端末１１０が基地局１２０へ信号を送信するタイミングを調節する。
【００３０】
送信タイミングの調節を指示するＴＡ情報は、端末１１０が基地局１２０へ近づく方向へ移動している場合はマイナスの値となり、端末１１０が基地局１２０から離れる方向へ移動している場合はプラスの値となる。また、ＴＡ情報は、端末１１０の移動速度が高いほど、頻繁に基地局１２０から端末１１０へ送信される。
【００３１】
また、変調部３０７は、パスサーチ／セルサーチ部３０３から出力されるパス変動情報を取得してもよい。そして、変調部３０７は、取得したパス変動情報に基づいて、送信電力制御部３０９へ信号を出力するタイミングを微調節することにより、端末１１０が基地局１２０へ信号を送信するタイミングを微調節してもよい。たとえば、変調部３０７は、ＴＡ情報に基づいて信号の送信タイミングをおおまかに調節し、パス変動情報に基づいて信号の送信タイミングを微調節する。
【００３２】
送信電力設定部３０８は、端末１１０から基地局１２０への信号の送信電力値を設定し、設定した送信電力値を送信電力制御部３０９へ出力する。送信電力設定部３０８は、この送信電力の設定を、たとえば、受信電力測定部３０４から出力された受信電力値と、復調部３０５から出力されたＴＰＣ値およびＴＡ情報と、に基づいて行う。また、送信電力設定部３０８は、この送信電力の設定に、パスサーチ／セルサーチ部３０３から出力されたパス変動情報を用いてもよい。送信電力設定部３０８による送信電力の設定については後述する（たとえば図４参照）。
【００３３】
送信電力制御部３０９は、変調部３０７から出力された信号の送信電力を、送信電力設定部３０８から出力された送信電力値に基づいて制御する。そして、送信電力制御部３０９は、送信電力を制御した信号を無線部３０２へ出力する。
【００３４】
ＴＡ情報（第一の制御信号）およびＴＰＣ値（第二の制御信号）を受信する受信部は、たとえばアンテナ３０１、無線部３０２、パスサーチ／セルサーチ部３０３および復調部３０５により実現することができる。ＴＡ情報（第一の制御信号）が示す制御量の加算結果を記憶する記憶部（制御量を蓄積する蓄積部）は、たとえば送信電力設定部３０８により実現することができる。ＴＰＣ値（第二の制御信号）に基づいて端末１１０の送信電力を制御する制御部は、たとえば送信電力設定部３０８および送信電力制御部３０９により実現することができる。
【００３５】
（実施の形態にかかる端末の送信電力設定部）
図４は、実施の形態にかかる端末の送信電力設定部の一例を示す図である。図３に示した端末１１０の送信電力設定部３０８は、図４に示すように、変換部４０１と、ＴＰＣ制御部４０２と、加算部４０３，４０４と、タイミング変動量蓄積部４０５と、受信電力閾値判定部４０７と、電力閾値／タイミング判定部４０６と、を備える。
【００３６】
変換部４０１には、復調部３０５（図３参照）から出力されたＴＰＣ値（アップ命令またはダウン命令）が入力される。また、変換部４０１には、ＴＰＣ値の指示による送信電力のアップまたはダウンの設定幅（ｄＢ値）が設定される。この設定幅は、たとえば任意の固定値である。変換部４０１は、入力されたＴＰＣ値を、設定された設定幅に基づいてｄＢ値に変換する。そして、変換部４０１は、ｄＢ値に変換したＴＰＣ値をＴＰＣ制御部４０２へ出力する。
【００３７】
ＴＰＣ制御部４０２は、変換部４０１から出力されたＴＰＣ値（ｅ）を加算部４０３へ出力する（ｅ）。ただし、ＴＰＣ制御部４０２は、電力閾値／タイミング判定部４０６から強制ダウン制御指示（ｃ）が出力されている場合は、変換部４０１から出力されたＴＰＣ値がアップ命令であっても、送信電力を所定量だけ下げることを指示するＴＰＣ値（ｅ）を加算部４０３へ出力する。なお、電力閾値／タイミング判定部４０６から強制ダウン制御指示（ｃ）が出力されており、変換部４０１から出力されたＴＰＣ値がダウン命令である場合も有り得る。この場合は、ＴＰＣ制御部４０２は、送信電力を所定量だけ強制的に下げることを指示するＴＰＣ値（ｅ）を加算部４０３へ出力してもよいし、変換部４０１から出力されたＴＰＣ値（ｅ）をそのまま加算部４０３へ出力してもよい。
【００３８】
加算部４０３は、加算部４０４へ電力増減値を出力する。また、加算部４０３は、加算部４０３が加算部４０４へ出力する電力増減値に、ＴＰＣ制御部４０２から出力されたＴＰＣ値（ｅ）を加算するループバックを行う。加算部４０３が加算部４０４へ出力する電力増減値の初期値は、たとえば“０”とすることができる。
【００３９】
加算部４０４は、初期電力値と、加算部４０３から出力された電力増減値と、を加算する。初期電力値は、たとえば端末１１０の電源立上げ時に使用される端末１１０の送信電力値の初期値である。加算部４０４は、加算結果を送信電力値として送信電力制御部３０９（図３参照）へ出力する。また、加算部４０４は、送信電力値をタイミング変動量蓄積部４０５および電力閾値／タイミング判定部４０６へ出力する。
【００４０】
また、加算部４０４には、所定の送信電力ＭＡＸ値が設定される。送信電力ＭＡＸ値は、端末１１０から基地局１２０への送信電力の最大値である。加算部４０４は、算出した送信電力値が送信電力ＭＡＸ値に達した場合にＭＡＸ値フラグ（ｆ）を電力閾値／タイミング判定部４０６へ出力する。
【００４１】
また、加算部４０４には、所定の初期電力ｍｉｎ値が設定されてもよい。初期電力ｍｉｎ値は、端末１１０から基地局１２０への送信電力の最長値である。加算部４０４は、算出した送信電力値が初期電力ｍｉｎ値に達した場合にｍｉｎ値フラグを電力閾値／タイミング判定部４０６へ出力してもよい。
【００４２】
タイミング変動量蓄積部４０５は、復調部３０５（図３参照）から出力されたＴＡ情報を蓄積する。たとえば、タイミング変動量蓄積部４０５は、復調部３０５から出力されたＴＡ情報を順次加算し、加算結果をタイミング変動量として記憶する。これにより、端末１１０の送信タイミングの変動量を蓄積することができる。タイミングの変動量の蓄積結果は、端末１１０と基地局１２０との間の通信に関する状況を示す。
【００４３】
また、タイミング変動量蓄積部４０５には、所定の電力閾値が設定される。所定の電力閾値は、たとえば送信電力ＭＡＸ値から所定値を減算した値とすることができる。タイミング変動量蓄積部４０５は、タイミング変動量の蓄積を、加算部４０４から出力された送信電力値が所定の電力閾値以上である期間にのみ行う。これにより、端末１１０の送信電力が大きい期間におけるタイミング変動量に基づいて送信電力制御を行うことができる。
【００４４】
また、タイミング変動量蓄積部４０５は、ＴＡ情報と、パスサーチ／セルサーチ部３０３（図３参照）から出力されたパス変動情報と、の合計値を蓄積してもよい。これにより、端末１１０と基地局１２０との間の通信に関する状況をより精度よく示す蓄積値を得ることができる。たとえば、タイミング変動量蓄積部４０５は、復調部３０５から出力されたＴＡ情報およびパスサーチ／セルサーチ部３０３から出力されたパス変動情報を順次加算し、加算結果をタイミング変動量として保持する。
【００４５】
また、ＴＡ情報やパス変動情報は正負の値をとり得るため、タイミング変動量蓄積部４０５は、ＴＡ情報やパス変動情報の正負を考慮して加算を行う。タイミング変動量蓄積部４０５は、蓄積したタイミング変動量をタイミング変動量蓄積値（ｂ）として電力閾値／タイミング判定部４０６へ出力する。
【００４６】
電力閾値／タイミング判定部４０６には、所定の電力閾値および所定のタイミング閾値が設定される。電力閾値／タイミング判定部４０６に設定される電力閾値は、タイミング変動量蓄積部４０５に設定される電力閾値と同じである。タイミング閾値は、一例としては“１４”とすることができる。
【００４７】
電力閾値／タイミング判定部４０６は、加算部４０４から出力された送信電力値が所定の電力閾値以上である期間において、タイミング変動量蓄積部４０５から出力されたタイミング変動量蓄積値（ｂ）が所定のタイミング閾値以下であるか否かを判定する。そして、電力閾値／タイミング判定部４０６は、タイミング変動量蓄積値（ｂ）が所定のタイミング閾値以下である場合に、送信電力を所定量だけ下げる強制ダウン制御を指示する強制ダウン制御指示（ｃ）をＴＰＣ制御部４０２へ出力する。
【００４８】
また、電力閾値／タイミング判定部４０６は、加算部４０４からＭＡＸ値フラグ（ｆ）が出力されていない期間においては強制ダウン制御指示（ｃ）をＴＰＣ制御部４０２へ出力しないようにしてもよい。これにより、タイミング変動量蓄積値（ｂ）が所定のタイミング閾値以下であり、かつ端末１１０の送信電力値が送信電力ＭＡＸ値に達している場合にのみ強制ダウン制御を行うことができる。
【００４９】
また、電力閾値／タイミング判定部４０６は、強制ダウン制御を指示した後に、受信電力閾値判定部４０７から出力された判定結果に基づいて、強制ダウン制御を指示した時点より受信電力が低下すると、強制ダウン制御の指示を停止する。たとえば、電力閾値／タイミング判定部４０６は、現在の受信電力値Ｐｂ（ｎ）が、強制ダウン制御を指示した時点の受信電力値Ｐａを基準とする受信電力閾値Ｐａ＋Ｔｈ＿ｒｐより小さくなると、強制ダウン制御の指示を停止する。Ｔｈ＿ｒｐは、たとえばゼロに近いマイナス値であり、一例としては−１［ｄＢ］とすることができる。
【００５０】
受信電力閾値判定部４０７には、所定のＴｈ＿ｒｐが設定される。受信電力閾値判定部４０７は、受信電力閾値判定部４０７によって強制ダウン制御が開始されると、その時点における受信電力測定部３０４（図３参照）からの受信電力値をＰａとして保持する。その後に、受信電力閾値判定部４０７は、受信電力測定部３０４からの受信電力値を現在の受信電力値Ｐｂ（ｎ）として監視する。そして、受信電力閾値判定部４０７は、受信電力値Ｐｂ（ｎ）が、受信電力値Ｐａを基準とする受信電力閾値Ｐａ＋Ｔｈ＿ｒｐより小さいか否かの判定を行い、判定結果を電力閾値／タイミング判定部４０６へ出力する。
【００５１】
（実施の形態にかかる端末のハードウェア構成）
図５は、実施の形態にかかる端末のハードウェア構成の一例を示す図である。図３に示した端末１１０は、たとえば図５に示す通信装置５００により実現することができる。通信装置５００は、ＣＰＵ５０１と、メモリ５０２と、ユーザインタフェース５０３と、無線通信インタフェース５０４と、を備える。ＣＰＵ５０１、メモリ５０２、ユーザインタフェース５０３および無線通信インタフェース５０４は、バス５０９により接続される。
【００５２】
ＣＰＵ５０１（Ｃｅｎｔｒａｌ  Ｐｒｏｃｅｓｓｉｎｇ  Ｕｎｉｔ）は、通信装置５００の全体の制御を司る。メモリ５０２には、たとえばメインメモリおよび補助メモリが含まれる。メインメモリは、たとえばＲＡＭ（Ｒａｎｄｏｍ  Ａｃｃｅｓｓ  Ｍｅｍｏｒｙ）である。メインメモリは、ＣＰＵ５０１のワークエリアとして使用される。補助メモリは、たとえば磁気ディスク、フラッシュメモリなどの不揮発メモリである。補助メモリには、通信装置５００を動作させる各種のプログラムが記憶されている。補助メモリに記憶されたプログラムは、メインメモリにロードされてＣＰＵ５０１によって実行される。
【００５３】
ユーザインタフェース５０３は、たとえば、ユーザからの操作入力を受け付ける入力デバイスや、ユーザへ情報を出力する出力デバイスなどを含む。入力デバイスは、たとえばキー（たとえばキーボード）やリモコンなどにより実現することができる。出力デバイスは、たとえばディスプレイやスピーカなどにより実現することができる。また、タッチパネルなどによって入力デバイスおよび出力デバイスを実現してもよい。ユーザインタフェース５０３は、ＣＰＵ５０１によって制御される。
【００５４】
無線通信インタフェース５０４は、無線によって通信装置５００の外部（たとえば基地局１２０）との間で通信を行う通信インタフェースである。無線通信インタフェース５０４は、ＣＰＵ５０１によって制御される。
【００５５】
図３に示したアンテナ３０１および無線部３０２は、たとえば無線通信インタフェース５０４により実現することができる。図３に示したパスサーチ／セルサーチ部３０３、受信電力測定部３０４、復調部３０５、符号処理部３０６、変調部３０７、送信電力設定部３０８および送信電力制御部３０９は、たとえばＣＰＵ５０１およびメモリ５０２により実現することができる。
【００５６】
（実施の形態にかかる基地局のハードウェア構成）
図６は、実施の形態にかかる基地局のハードウェア構成の一例を示す図である。図２に示した基地局１２０は、たとえば図６に示す通信装置６００により実現することができる。通信装置６００は、ＣＰＵ６０１と、メモリ６０２と、無線通信インタフェース６０３と、有線通信インタフェース６０４と、を備える。ＣＰＵ６０１、メモリ６０２、無線通信インタフェース６０３および有線通信インタフェース６０４は、バス６０９により接続される。
【００５７】
ＣＰＵ６０１は、通信装置６００の全体の制御を司る。メモリ６０２には、たとえばメインメモリおよび補助メモリが含まれる。メインメモリは、たとえばＲＡＭである。メインメモリは、ＣＰＵ６０１のワークエリアとして使用される。補助メモリは、たとえば磁気ディスク、光ディスク、フラッシュメモリなどの不揮発メモリである。補助メモリには、通信装置６００を動作させる各種のプログラムが記憶されている。補助メモリに記憶されたプログラムは、メインメモリにロードされてＣＰＵ６０１によって実行される。
【００５８】
無線通信インタフェース６０３は、無線によって通信装置６００の外部（たとえば端末１１０）との間で通信を行う通信インタフェースである。無線通信インタフェース６０３は、ＣＰＵ６０１によって制御される。
【００５９】
有線通信インタフェース６０４は、有線によって通信装置６００の外部（たとえばコアネットワークや他の基地局）との間で通信を行う通信インタフェースである。有線通信インタフェース６０４は、ＣＰＵ６０１によって制御される。
【００６０】
図２に示した基地局１２０の受信レベル検出部２２１およびＴＰＣ挿入部２２２は、たとえば無線通信インタフェース６０３およびＣＰＵ６０１により実現することができる。
【００６１】
（実施の形態にかかる端末による送信電力設定処理による処理）
図７は、実施の形態にかかる端末による送信電力設定処理の一例を示すフローチャートである。実施の形態にかかる端末１１０は、たとえば、送信電力設定部３０８により図７に示す各ステップを実行する。まず、端末１１０は、現在の端末１１０から基地局１２０への送信電力値が所定の電力閾値以上であるか否かを判断する（ステップＳ７０１）。ステップＳ７０１は、たとえばタイミング変動量蓄積部４０５により行われる。
【００６２】
ステップＳ７０１において、送信電力値が電力閾値以上でない場合（ステップＳ７０１：Ｎｏ）は、端末１１０は、タイミング変動量の蓄積をリセットし（ステップＳ７０２）、ステップＳ７０１へ戻る。ステップＳ７０２は、たとえばタイミング変動量蓄積部４０５により行われる。送信電力値が電力閾値以上である場合（ステップＳ７０１：Ｙｅｓ）は、端末１１０は、基地局１２０から受信したＴＡ情報およびパス変動情報が示すタイミング変動量を蓄積する（ステップＳ７０３）。ステップＳ７０３は、たとえばタイミング変動量蓄積部４０５により行われる。
【００６３】
つぎに、端末１１０は、ステップＳ７０３による蓄積後のタイミング変動量蓄積値と、基地局１２０から受信したＴＰＣ値の制御方向（正負）とが一致しているか否かを判断する（ステップＳ７０４）。ステップＳ７０４は、たとえばタイミング変動量蓄積部４０５により行われる。蓄積後のタイミング変動量蓄積値と制御方向とが一致している場合（ステップＳ７０４：Ｙｅｓ）は、端末１１０は、ステップＳ７０１へ戻る。
【００６４】
ステップＳ７０４において、蓄積後のタイミング変動量蓄積値と制御方向とが一致していない場合（ステップＳ７０４：Ｎｏ）は、端末１１０は、タイミング変動量の蓄積値がタイミング閾値以下であるか否かを判断する（ステップＳ７０５）。ステップＳ７０５は、たとえば電力閾値／タイミング判定部４０６により行われる。タイミング変動量の蓄積値がタイミング閾値以下でない場合（ステップＳ７０５：Ｎｏ）は、端末１１０は、ステップＳ７０１へ戻る。
【００６５】
ステップＳ７０５において、タイミング変動量の蓄積値がタイミング閾値以下である場合（ステップＳ７０５：Ｙｅｓ）は、端末１１０は、ＭＡＸ値フラグが立ち上がっているか否かを判断する（ステップＳ７０６）。ステップＳ７０６は、たとえば電力閾値／タイミング判定部４０６により行われる。ＭＡＸ値フラグが立ち上がっていない場合（ステップＳ７０６：Ｎｏ）は、端末１１０は、ステップＳ７０１へ戻る。
【００６６】
ステップＳ７０６において、ＭＡＸ値フラグが立ち上がっている場合（ステップＳ７０６：Ｙｅｓ）は、端末１１０から基地局１２０への送信電力が大き過ぎると判断することができる。このような場合としては、たとえば、基地局１２０からのＴＰＣ値による指示が追いつかない状況や、ダウン命令のＴＰＣ値がアップ命令のＴＰＣ値として端末１１０において誤受信された場合などがある。この場合は、端末１１０は、受信電力測定部３０４からの受信電力値に基づく現在の受信電力値Ｐａ［ｄＢ］を取得する（ステップＳ７０７）。ステップＳ７０７は、たとえば受信電力閾値判定部４０７により行われる。
【００６７】
つぎに、端末１１０は、端末１１０から基地局１２０への送信電力値を、基地局１２０から受信したＴＰＣ値にかかわらず強制的に下げる（ステップＳ７０８）。ステップＳ７０８は、たとえばＴＰＣ制御部４０２により行われる。つぎに、端末１１０は、受信電力測定部３０４からの受信電力値に基づく現在の受信電力値Ｐｂ（ｎ）［ｄＢ］を取得する（ステップＳ７０９）。ステップＳ７０９は、たとえば受信電力閾値判定部４０７により行われる。
【００６８】
つぎに、端末１１０は、ステップＳ７０９によって取得した受信電力値Ｐｂ（ｎ）が、ステップＳ７０７によって取得した受信電力値Ｐａを基準とする受信電力閾値Ｐａ＋Ｔｈ＿ｒｐより小さいか否かを判断する（ステップＳ７１０）。ステップＳ７１０は、たとえば受信電力閾値判定部４０７により行われる。Ｔｈ＿ｒｐは、たとえば０［ｄＢ］に近いマイナス値とすることができる。これにより、端末１１０が送信電力を強制的に下げる制御を開始してから受信電力が低下したか否かを判断することができる。
【００６９】
ステップＳ７１０において、受信電力値Ｐｂ（ｎ）が受信電力閾値Ｐａ＋Ｔｈ＿ｒｐより小さくない場合（ステップＳ７１０：Ｎｏ）は、端末１１０は、ステップＳ７０８へ戻る。受信電力値Ｐｂ（ｎ）が受信電力閾値Ｐａ＋Ｔｈ＿ｒｐより小さい場合（ステップＳ７１０：Ｙｅｓ）は、さらに送信電力値を下げると送信電力の下げ過ぎにより通信品質が低下する状況であると判断することができる。
【００７０】
このような状況としては、たとえば、端末１１０が基地局１２０へ近づく方向に移動していた状態から端末１１０が基地局１２０から離れる方向に移動する状態に転じた状況が想定される。または、このような状況としては、たとえば、フェージング等により端末１１０と基地局１２０との間の伝播環境が悪化した状況が想定される。この場合は、端末１１０は、ステップＳ７０１へ戻る。
【００７１】
これにより、端末１１０は、送信電力値を強制的に下げる制御を停止し、基地局１２０から受信したＴＰＣ値に基づく送信電力の制御を再開する。このような状況において、基地局１２０は、端末１１０へ送信電力を上げることを指示するＴＰＣ値を端末１１０へ送信する。この場合は、端末１１０は、この後に送信電力を上げることになる。
【００７２】
（実施の形態にかかる端末装置による送信電力制御）
図８は、実施の形態にかかる端末装置による送信電力制御の一例を示す図である。図４に示した送信電力制御部３０９においては、たとえば図８に示す送信電力制御が行われる。図８において、横軸は時間を示している。時刻ｔ１〜ｔ１８，…は、１フレーム周期の各時刻を示している。
【００７３】
ＴＰＣ値８０１は、端末１１０が基地局１２０から受信し、変換部４０１へ入力されるＴＰＣ値である。ＴＰＣ値８０１において、「＋」は送信電力値を上げることを指示するＴＰＣ値（アップ命令）であり、「−」送信電力値を下げることを指示するＴＰＣ値（ダウン命令）である。図８に示す例では、ＴＰＣ値８０１は、時刻ｔ１〜ｔ１５においては「＋」であり、時刻ｔ１６〜ｔ１８においては「−」である。
【００７４】
送信電力ＭＡＸ値８０２は、加算部４０４に設定される送信電力ＭＡＸ値である。電力閾値８０３は、タイミング変動量蓄積部４０５および受信電力閾値判定部４０７に設定される電力閾値（マイナス電力閾値）である。
【００７５】
送信電力値８０４は、加算部４０４から出力される、端末１１０の送信電力を示す送信電力値である。図８において送信電力値８０４に沿って記された数値「１」〜「１８」は、それぞれ時刻ｔ１〜ｔ１８（１〜１８フレーム目）を示している。
【００７６】
パス変動情報８０５は、タイミング変動量蓄積部４０５へ入力される、下りのパス変動の測定結果を示すパス変動情報である。ＴＡ情報８０６は、端末１１０が基地局１２０から受信し、タイミング変動量蓄積部４０５へ入力されるＴＡ情報である。
【００７７】
蓄積期間８０７は、タイミング変動量蓄積部４０５がタイミング変動量を蓄積し、タイミング変動量蓄積値（ｂ）を電力閾値／タイミング判定部４０６へ出力する期間である。
【００７８】
タイミング変動量蓄積値８０８は、タイミング変動量蓄積部４０５から出力されるタイミング変動量蓄積値（ｂ）である。たとえば、端末１１０が基地局１２０から離れる方向に移動している状態においては、タイミング変動量蓄積値８０８は正の値になる。一方、端末１１０が基地局１２０に近づく方向に移動している状態においては、タイミング変動量蓄積値８０８は負の値になる。
【００７９】
タイミング閾値８０９は、電力閾値／タイミング判定部４０６に設定されるタイミング閾値である。受信電力閾値８１０は、受信電力閾値判定部４０７に設定される受信電力閾値である。強制ダウン制御指示８１１は、電力閾値／タイミング判定部４０６からＴＰＣ制御部４０２へ出力される強制ダウン制御指示（ｃ）である。
【００８０】
ＭＡＸ値フラグ８１２は、加算部４０４から電力閾値／タイミング判定部４０６へ出力されるＭＡＸ値フラグ（ｆ）である。処理後ＴＰＣ値８１３は、ＴＰＣ制御部４０２から加算部４０３へ出力されるＴＰＣ値（ｅ）である。
【００８１】
図８に示す例では、時刻ｔ１から、ＴＰＣ値８０１に従って送信電力値８０４が１単位ずつ増加していき、時刻ｔ４（４サブフレーム目）において送信電力値８０４が電力閾値８０３を超える。また、送信電力値８０４は、時刻ｔ８において送信電力ＭＡＸ値８０２に達する。このため、時刻ｔ８〜ｔ１１において、ＴＰＣ値８０１は「＋」であるが、送信電力値８０４は送信電力ＭＡＸ値８０２のままになる。また、加算部４０４から電力閾値／タイミング判定部４０６へＭＡＸ値フラグ８１２が出力される。
【００８２】
時刻ｔ４において送信電力値８０４が電力閾値８０３を超えたため、蓄積期間８０７に示すように、タイミング変動量蓄積部４０５は、時刻ｔ４の直後の時刻ｔ５からタイミング変動量の蓄積を開始する。図８に示す例では、時刻ｔ５〜ｔ７において、パス変動情報８０５がそれぞれ「−１」であり、ＴＡ情報８０６は受信されていない。このため、時刻ｔ５〜ｔ７において、タイミング変動量蓄積値８０８はそれぞれ「−１」、「−２」、「−３」となる。
【００８３】
時刻ｔ８において、パス変動情報８０５が「−１」であり、ＴＡ情報８０６として「−７」が受信されたため、タイミング変動量蓄積値８０８は「−１１」となる。時刻ｔ９〜ｔ１２において、パス変動情報８０５がそれぞれ「−１」であり、ＴＡ情報８０６は受信されていない。このため、時刻ｔ９〜ｔ１２において、タイミング変動量蓄積値８０８はそれぞれ「−１２」、「−１３」、「−１４」、「−１５」となる。
【００８４】
時刻ｔ１１において、タイミング変動量蓄積値８０８がタイミング閾値８０９である「−１４」以下となり、かつタイミング変動量蓄積値８０８（−１４）とＴＰＣ値８０１（＋）との方向が一致していない。このため、電力閾値／タイミング判定部４０６からＴＰＣ制御部４０２へ強制ダウン制御指示８１１が出力される。このため、時刻ｔ１２，ｔ１３において、処理後ＴＰＣ値８１３は、強制ダウン制御によりＴＰＣ値８０１にかかわらず「−」となる。このため、時刻ｔ１２，ｔ１３において、送信電力値８０４は下がる。
【００８５】
ここで、時刻ｔ１２における受信電力Ｐｂ（ｎ）が受信電力閾値８１０（Ｐａ＋Ｔｈ＿ｒｐ）を下回ったとする。この場合は、時刻ｔ１３以降においては電力閾値／タイミング判定部４０６からＴＰＣ制御部４０２へ強制ダウン制御指示８１１が出力されなくなる。このため、時刻ｔ１４〜ｔ１８において、処理後ＴＰＣ値８１３は、ＴＰＣ値８０１と同じように「＋」、「＋」、「−」、「−」、「−」となる。また、このとき、ＭＡＸ値フラグ８１２がリセットされる。また、タイミング変動量蓄積値８０８がリセットされ、タイミング変動量の蓄積終了となる。
【００８６】
図８に示したように、送信電力制御部３０９は、送信電力値８０４が電力閾値８０３を超え、タイミング変動量蓄積値８０８が閾値以下になると送信電力値８０４の強制ダウン制御を開始する。そして、送信電力制御部３０９は、強制ダウン制御の開始後に、受信電力が受信電力閾値８１０を下回ると強制ダウン制御を停止する。
【００８７】
（強制的な送信電力の増加を行う制御）
端末１１０が送信タイミングの変動に応じて強制的な送信電力の低減を行う制御について説明したが、端末１１０が送信タイミングの変動に応じて強制的な送信電力の増加を行う制御を行うようにしてもよい。
【００８８】
たとえば、図４に示したＴＰＣ制御部４０２は、強制アップ制御指示が出力されている場合は、変換部４０１からのＴＰＣ値がダウン命令であっても、送信電力を所定量だけ上げることを指示するＴＰＣ値（ｅ）を加算部４０３へ出力する。なお、電力閾値／タイミング判定部４０６から強制アップ制御指示が出力されており、変換部４０１から出力されたＴＰＣ値がアップ命令である場合も有り得る。この場合は、ＴＰＣ制御部４０２は、送信電力を所定量だけ強制的に上げることを指示するＴＰＣ値（ｅ）を加算部４０３へ出力してもよいし、変換部４０１から出力されたＴＰＣ値（ｅ）をそのまま加算部４０３へ出力してもよい。
【００８９】
図４に示したタイミング変動量蓄積部４０５は、ＴＡ情報やパス変動情報の蓄積を、加算部４０４から出力された送信電力値が所定の電力閾値以下である期間にのみ行う。タイミング変動量蓄積部４０５は、蓄積した送信タイミングの変動量をタイミング変動量蓄積値（ｂ）として電力閾値／タイミング判定部４０６へ出力する。
【００９０】
図４に示した電力閾値／タイミング判定部４０６は、加算部４０４から出力された送信電力値が所定の電力閾値以下である期間において、タイミング変動量蓄積部４０５から出力されたタイミング変動量蓄積値（ｂ）が所定のタイミング閾値以上であるかを判定する。そして、電力閾値／タイミング判定部４０６は、タイミング変動量蓄積値（ｂ）が所定のタイミング閾値以上である場合に、送信電力を所定量だけ上げる強制アップ制御を指示する強制アップ制御指示をＴＰＣ制御部４０２へ出力する。
【００９１】
また、電力閾値／タイミング判定部４０６は、加算部４０４からｍｉｎ値フラグが出力されていない期間においては強制アップ制御指示をＴＰＣ制御部４０２へ出力しないようにしてもよい。これにより、タイミング変動量蓄積値が所定のタイミング閾値以上であり、かつ端末１１０の送信電力値が初期電力ｍｉｎ値に達している場合にのみ強制アップ制御を行うことができる。
【００９２】
また、電力閾値／タイミング判定部４０６は、強制アップ制御を指示した後に、受信電力閾値判定部４０７から出力された判定結果に基づいて、強制アップ制御を指示した時点より受信電力が増加すると、強制アップ制御の指示を停止する。たとえば、電力閾値／タイミング判定部４０６は、現在の受信電力値Ｐｂ（ｎ）が、強制ダウン制御を指示した時点の受信電力値Ｐａを基準とする受信電力閾値Ｐａ＋Ｔｈ＿ｒｐより大きくなると、強制アップ制御の指示を停止する。Ｔｈ＿ｒｐは、たとえばゼロに近いプラス値であり、一例としては１［ｄＢ］とすることができる。
【００９３】
図４に示した受信電力閾値判定部４０７は、受信電力閾値判定部４０７によって強制アップ制御が開始されると、その時点における受信電力測定部３０４からの受信電力値をＰａとして保持する。その後に、受信電力閾値判定部４０７は、受信電力測定部３０４からの受信電力値を現在の受信電力値Ｐｂ（ｎ）として監視する。そして、受信電力閾値判定部４０７は、受信電力値Ｐｂ（ｎ）が、受信電力値Ｐａを基準とする受信電力閾値Ｐａ＋Ｔｈ＿ｒｐより大きいか否かの判定を行い、判定結果を電力閾値／タイミング判定部４０６へ出力する。
【００９４】
（実施の形態にかかる端末による送信電力設定処理による処理）
図９は、実施の形態にかかる端末による送信電力設定処理の他の例を示すフローチャートである。実施の形態にかかる端末１１０は、送信タイミングの変動に応じた強制的な送信電力の増加を行う場合に、たとえば送信電力設定部３０８により図９に示す各ステップを実行する。まず、端末１１０は、現在の端末１１０から基地局１２０への送信電力値が所定の電力閾値以下であるか否かを判断する（ステップＳ９０１）。ステップＳ９０１は、たとえばタイミング変動量蓄積部４０５により行われる。
【００９５】
ステップＳ９０１において、送信電力値が電力閾値以下でない場合（ステップＳ９０１：Ｎｏ）は、端末１１０は、タイミング変動量の蓄積をリセットし（ステップＳ９０２）、ステップＳ９０１へ戻る。ステップＳ９０２は、たとえばタイミング変動量蓄積部４０５により行われる。送信電力値が電力閾値以下である場合（ステップＳ９０１：Ｙｅｓ）は、端末１１０は、基地局１２０から受信したＴＡ情報およびパス変動情報が示すタイミング変動量を蓄積する（ステップＳ９０３）。ステップＳ９０３は、たとえばタイミング変動量蓄積部４０５により行われる。
【００９６】
つぎに、端末１１０は、ステップＳ９０３による蓄積後のタイミング変動量蓄積値と、基地局１２０から受信したＴＰＣ値の制御方向（正負）とが一致しているか否かを判断する（ステップＳ９０４）。ステップＳ９０４は、たとえばタイミング変動量蓄積部４０５により行われる。蓄積後のタイミング変動量蓄積値と制御方向とが一致している場合（ステップＳ９０４：Ｙｅｓ）は、端末１１０は、ステップＳ９０１へ戻る。
【００９７】
ステップＳ９０４において、蓄積後のタイミング変動量蓄積値と制御方向とが一致していない場合（ステップＳ９０４：Ｎｏ）は、端末１１０は、タイミング変動量の蓄積値がタイミング閾値以上であるか否かを判断する（ステップＳ９０５）。ステップＳ９０５は、たとえば電力閾値／タイミング判定部４０６により行われる。タイミング変動量の蓄積値がタイミング閾値以上でない場合（ステップＳ９０５：Ｎｏ）は、端末１１０は、ステップＳ９０１へ戻る。
【００９８】
ステップＳ９０５において、タイミング変動量の蓄積値がタイミング閾値以上である場合（ステップＳ９０５：Ｙｅｓ）は、端末１１０は、ｍｉｎ値フラグが立ち上がっているか否かを判断する（ステップＳ９０６）。ステップＳ９０６は、たとえば電力閾値／タイミング判定部４０６により行われる。ｍｉｎ値フラグは、たとえば端末１１０から基地局１２０への送信電力が所定の最小値に達した場合に立ち上がり、端末１１０の送信電力を強制的に上げる制御を停止する際に立ち下がるフラグである。
【００９９】
ステップＳ９０６において、ｍｉｎ値フラグが立ち上がっていない場合（ステップＳ９０６：Ｎｏ）は、端末１１０は、ステップＳ９０１へ戻る。ｍｉｎ値フラグが立ち上がっている場合（ステップＳ９０６：Ｙｅｓ）は、端末１１０から基地局１２０への送信電力が小さ過ぎると判断することができる。このような場合としては、たとえば、基地局１２０からのＴＰＣ値による指示が追いつかない状況や、アップ命令のＴＰＣ値がダウン命令のＴＰＣ値として端末１１０において誤受信された場合などがある。この場合は、端末１１０は、受信電力測定部３０４からの受信電力値に基づく現在の受信電力値Ｐａ［ｄＢ］を取得する（ステップＳ９０７）。ステップＳ９０７は、たとえば受信電力閾値判定部４０７により行われる。
【０１００】
つぎに、端末１１０は、端末１１０から基地局１２０への送信電力値を、基地局１２０から受信したＴＰＣ値にかかわらず強制的に上げる（ステップＳ９０８）。ステップＳ９０８は、たとえばＴＰＣ制御部４０２により行われる。つぎに、端末１１０は、受信電力測定部３０４からの受信電力値に基づく現在の受信電力値Ｐｂ（ｎ）［ｄＢ］を取得する（ステップＳ９０９）。ステップＳ９０９は、たとえば受信電力閾値判定部４０７により行われる。
【０１０１】
つぎに、端末１１０は、ステップＳ９０９によって取得した受信電力値Ｐｂ（ｎ）が、ステップＳ９０７によって取得した受信電力値Ｐａを基準とする受信電力閾値Ｐａ＋Ｔｈ＿ｒｐより大きいか否かを判断する（ステップＳ９１０）。ステップＳ９１０は、たとえば受信電力閾値判定部４０７により行われる。Ｔｈ＿ｒｐは、たとえば０［ｄＢ］に近いプラス値とすることができる。これにより、端末１１０が送信電力を強制的に上げる制御を開始してから受信電力が増加したか否かを判断することができる。
【０１０２】
ステップＳ９１０において、受信電力値Ｐｂ（ｎ）が受信電力閾値Ｐａ＋Ｔｈ＿ｒｐより大きくない場合（ステップＳ９１０：Ｎｏ）は、端末１１０は、ステップＳ９０８へ戻る。受信電力値Ｐｂ（ｎ）が受信電力閾値Ｐａ＋Ｔｈ＿ｒｐより大きい場合（ステップＳ９１０：Ｙｅｓ）は、さらに送信電力値を上げると送信電力の上げ過ぎになる状況であると判断することができる。送信電力の上げ過ぎになると、たとえば、端末１１０の消費電力が大きくなったり、基地局１２０における他の端末との干渉が大きくなったりする。
【０１０３】
このような状況としては、たとえば、端末１１０が基地局１２０へ離れる方向に移動していた状態から端末１１０が基地局１２０から近づく方向に移動する状態に転じた状況が想定される。または、このような状況としては、たとえば、端末１１０と基地局１２０との間の伝播環境のフェージング等による悪化が解消された状況が想定される。この場合は、端末１１０は、ステップＳ９０１へ戻る。
【０１０４】
これにより、端末１１０は、送信電力値を強制的に上げる制御を停止し、基地局１２０から受信したＴＰＣ値に基づく送信電力の制御を再開する。このような状況において、基地局１２０は、端末１１０へ送信電力を下げることを指示するＴＰＣ値を端末１１０へ送信する。この場合は、端末１１０は、この後に送信電力を下げることになる。
【０１０５】
このように、実施の形態にかかる端末１１０によれば、送信タイミングの変動に応じて送信電力を強制的に下げる制御を行う構成において、該制御を基地局１２０からの受信電力に応じて停止することができる。これにより、送信電力の下げ過ぎを抑制することができる。このため、たとえば送信電力の下げ過ぎによる端末１１０から基地局１２０への通信品質の低下を抑制することができる。
【０１０６】
または、実施の形態にかかる端末１１０によれば、送信タイミングの変動に応じて送信電力を強制的に上げる制御を行う構成において、該制御を基地局１２０からの受信電力に応じて停止することができる。これにより、送信電力の上げ過ぎを抑制することができる。このため、たとえば、端末１１０における消費電力の増加や、基地局１２０における他の端末との干渉を抑制することができる。
【０１０７】
上述した各実施の形態に関し、さらに以下の付記を開示する。
【０１０８】
（付記１）自装置から他装置への無線信号の送信タイミングの制御量を示す第一の制御信号と、自装置から前記他装置への無線信号の送信電力の制御量を示す第二の制御信号と、を前記他装置から受信する受信部と、
前記受信部によって受信された前記第一の制御信号が示す制御量の加算結果を記憶する記憶部と、
前記受信部によって受信された前記第二の制御信号が示す制御量に基づいて前記送信電力を制御する制御部であって、前記送信電力を下げる制御を前記記憶部によって記憶された前記加算結果に基づいて開始し、自装置における前記他装置からの受信電力に基づいて前記送信電力を下げる制御を停止する制御部と、
を備えることを特徴とする送信装置。
【０１０９】
（付記２）前記送信電力を下げる制御は、前記第二の制御信号が前記送信電力を上げることを指示する制御信号であっても前記送信電力を下げる制御であることを特徴とする付記１に記載の送信装置。
【０１１０】
（付記３）前記送信電力を下げる制御は、前記第二の制御信号が前記送信電力を上げることを指示する制御信号であっても前記送信電力を所定周期で所定量ずつ下げる制御であることを特徴とする付記２に記載の送信装置。
【０１１１】
（付記４）前記制御部は、前記送信電力が所定電力以上の場合に、前記記憶部によって記憶された前記加算結果に基づいて前記送信電力を下げる制御を開始することを特徴とする付記１〜３のいずれか一つに記載の送信装置。
【０１１２】
（付記５）前記制御部は、前記送信電力を下げる制御を開始してからの前記受信電力の低下量が所定量より大きくなった場合に前記送信電力を下げる制御を停止することを特徴とする付記１〜４のいずれか一つに記載の送信装置。
【０１１３】
（付記６）自装置から他装置への無線信号の送信タイミングの制御量を示す第一の制御信号と、自装置から前記他装置への無線信号の送信電力の制御量を示す第二の制御信号と、を前記他装置から受信する受信部と、
前記受信部によって受信された前記第一の制御信号が示す制御量の加算結果を記憶する記憶部と、
前記受信部によって受信された前記第二の制御信号が示す制御量に基づいて前記送信電力を制御する制御部であって、前記送信電力を上げる制御を前記記憶部によって記憶された前記加算結果に基づいて開始し、自装置における前記他装置からの受信電力に基づいて前記送信電力を上げる制御を停止する制御部と、
を備えることを特徴とする送信装置。
【０１１４】
（付記７）前記送信電力を上げる制御は、前記第二の制御信号が前記送信電力を下げることを指示する制御信号であっても前記送信電力を上げる制御であることを特徴とする付記６に記載の送信装置。
【０１１５】
（付記８）前記送信電力を上げる制御は、前記第二の制御信号が前記送信電力を下げることを指示する制御信号であっても前記送信電力を所定周期で所定量ずつ上げる制御であることを特徴とする付記６に記載の送信装置。
【０１１６】
（付記９）前記制御部は、前記送信電力が所定電力以下の場合に、前記記憶部によって記憶された前記加算結果に基づいて前記送信電力を上げる制御を開始することを特徴とする付記６〜８のいずれか一つに記載の送信装置。
【０１１７】
（付記１０）前記制御部は、前記送信電力を上げる制御を開始してからの前記受信電力の増加量が所定量より大きくなった場合に前記送信電力を上げる制御を停止することを特徴とする付記６〜９のいずれか一つに記載の送信装置。
【符号の説明】
【０１１８】
１００  通信システム
１１０  端末
１２０  基地局
１２１  セル
２１１  ＴＰＣ抽出部
２１２，３０９  送信電力制御部
２２１  受信レベル検出部
２２２  ＴＰＣ挿入部
３０１  アンテナ
３０２  無線部
３０３  パスサーチ／セルサーチ部
３０４  受信電力測定部
３０５  復調部
３０６  符号処理部
３０７  変調部
３０８  送信電力設定部
４０１  変換部
４０２  ＴＰＣ制御部
４０３，４０４  加算部
４０５  タイミング変動量蓄積部
４０６  電力閾値／タイミング判定部
４０７  受信電力閾値判定部
５００，６００  通信装置
５０１，６０１  ＣＰＵ
５０２，６０２  メモリ
５０３  ユーザインタフェース
５０４，６０３  無線通信インタフェース
５０９，６０９  バス
６０４  有線通信インタフェース
８０１  ＴＰＣ値
８０２  送信電力ＭＡＸ値
８０３  電力閾値
８０４  送信電力値
８０５  パス変動情報
８０６  ＴＡ情報
８０７  蓄積期間
８０８  タイミング変動量蓄積値
８０９  タイミング閾値
８１０  受信電力閾値
８１１  強制ダウン制御指示
８１２  ＭＡＸ値フラグ
８１３  処理後ＴＰＣ値
【図１】
2017005566.tif 000003
【図２】
2017005566.tif 000004
【図３】
2017005566.tif 000005
【図４】
2017005566.tif 000006
【図５】
2017005566.tif 000007
【図６】
2017005566.tif 000008
【図７】
2017005566.tif 000009
【図８】
2017005566.tif 000010
【図９】
2017005566.tif 000011